【手続補正書】
【提出日】平成27年12月9日(2015.12.9)
【手続補正１】
【補正対象書類名】特許請求の範囲
【補正対象項目名】全文
【補正方法】変更
【補正の内容】
【特許請求の範囲】
【請求項１】
第１搬送面および第１駆動ユニットを有する媒体搬送体であって、基板媒体を運搬するように構成されかつ動作する第１媒体搬送体と、
第２搬送面および第２駆動ユニットを有する媒体搬送体であって、前記第１媒体搬送体から前記基板媒体を受けて前記基板媒体を運搬するように構成されかつ動作する第２媒体搬送体と、
第３搬送面を有する媒体搬送体であって、前記第２媒体搬送体から前記基板媒体を受けて前記基板媒体を運搬するように構成されかつ動作する第３媒体搬送体と、
前記第１媒体搬送体と前記第２媒体搬送体の間の第１相対力を測定して、前記第１相対力と関連した第１力信号を出力するように動作する第１力変換器と、
前記第２媒体搬送体と前記第３媒体搬送体の間を通過する基板媒体の存在を検出して、前記検出と関連した第２検出信号を出力するように動作するセンサと、
前記第１相対力信号および前記第２検出信号を受けて、前記第１相対力信号と所定値の比較に依存する第１制御信号を、前記第１駆動ユニットおよび前記第２駆動ユニットのうちの少なくとも１つへ出力するように構成されかつ動作する制御ユニットであって、前記第１制御信号は、それぞれ前記第１駆動ユニットまたは前記第２駆動ユニットに、それぞれ前記第１媒体搬送体または前記第２媒体搬送体の運動を駆動するように命令して、前記力信号を前記所定値以下またはその前後に維持し、前記制御ユニットは、前記第２検出信号に応答して、前記第１制御信号の代わりに第２制御信号を、前記第１駆動ユニットおよび前記第２駆動ユニットのうちの少なくとも１つへ出力するようにさらに構成されかつ動作し、前記第２制御信号は、それぞれ前記第１駆動ユニットまたは前記第２駆動ユニットに、それぞれ前記第１媒体搬送体または前記第２媒体搬送体の運動を所定速度で駆動するように命令する制御ユニットと、を含む、媒体搬送装置。
【請求項２】
前記所定速度の値を格納するように動作するメモリモジュールをさらに含む、請求項１に記載の媒体搬送装置。
【請求項３】
前記所定速度は、所定期間にわたって、前記第１制御信号によって命令された平均速度である、請求項１に記載の媒体搬送装置。
【請求項４】
前記所定期間は、前記第２検出信号が前記センサから出力しない期間を含む、請求項３に記載の媒体搬送装置。
【請求項５】
前記第１媒体搬送体および前記第２媒体搬送体のうちの少なくとも１つは、個別のシャーシー本体に取り付けられ、前記第１力変換器は、前記シャーシー本体とのインターフェースに取り付けられる、請求項１に記載の媒体搬送装置。
【請求項６】
前記第１力変換器はロードセルひずみゲージを含む、請求項１に記載の媒体搬送装置。
【請求項７】
前記第２媒体搬送体を支持する第１摩擦低減装着部をさらに含み、前記第１摩擦低減装着部は、前記第２媒体搬送体の処理方向に全体に整列した少なくとも１つの自由度を提供するように構成される、請求項１に記載の媒体搬送装置。
【請求項８】
前記第１搬送体、前記第２搬送体および前記第３搬送体のうちの少なくとも１つは、それぞれ第１押下力、第２押下力または第３押下力を発生させて、それぞれ前記第１搬送面、前記第２搬送面および前記第３搬送面に前記基板媒体を保持するように動作する、請求項１に記載の媒体搬送装置。
【請求項９】
前記第１押下力または第２押下力は、空気圧差、静電場、またはこれらの組み合わせによって生成される、請求項８に記載の媒体搬送装置。
【請求項１０】
前記第１力変換器は、前記第１媒体搬送体または前記第２媒体搬送体の処理方向に全体に整列した前記第１相対力がある部品を測定するように動作する、請求項１に記載の媒体搬送装置。
【請求項１１】
前記第３媒体搬送体を支持する第２摩擦低減装着部をさらに含み、前記第２摩擦低減装着部は、前記第３媒体搬送体の処理方向に全体に整列した少なくとも１つの自由度を提供するように構成される、請求項１に記載の媒体搬送装置。
【請求項１２】
前記第１媒体搬送体または前記第２媒体搬送体のうちの少なくとも１つは、１つ以上のローラの上を送られるベルトであって、それぞれ前記第１駆動ユニットまたは前記第２駆動ユニットの影響を受けて移動する柔軟性ベルトを含み、
それぞれ前記第１媒体搬送体または前記第２媒体搬送体の表面は、前記柔軟性ベルトの表面を含む、請求項１に記載の媒体搬送装置。
【請求項１３】
前記柔軟性ベルトは通気性があり、これにより柔軟性ベルトの第１側面に取り込まれた負圧が、柔軟性ベルトの第１側面とは反対側の第２側面に保持された前記基板媒体に押下げ力を引き起こす、請求項１２に記載の媒体搬送装置。
【請求項１４】
前記センサは、前記媒体搬送装置の処理方向を横断する方向に、前記基板媒体の期待幅または前記第２搬送体もしくは前記第３搬送体の幅の全体にわたって配置された複数のセンサを含む、請求項１に記載の媒体搬送装置。
【請求項１５】
前記センサは、光電センサ、透過型光電センサ、拡散反射型光電センサ、超音波センサ、静電容量型近接センサ、誘導型近接センサ、または前記センサのうちの１つもしくは組み合わせを有する複数を含む、請求項１に記載の媒体搬送装置。
【請求項１６】
基板媒体に画像をマーキングするように動作するマーキングエンジンと、
第１搬送面および第１駆動ユニットを有する媒体搬送体であって、基板媒体を運搬するように構成されかつ動作する第１媒体搬送体と、
第２搬送面および第２駆動ユニットを有する媒体搬送体であって、前記第１媒体搬送体から前記基板媒体を受けて前記基板媒体を運搬するように構成されかつ動作する第２媒体搬送体と、
第３搬送面を有する媒体搬送体であって、前記第２媒体搬送体から前記基板媒体を受けて前記基板媒体を運搬するように構成されかつ動作する第３媒体搬送体と、
前記第１媒体搬送体と前記第２媒体搬送体の間の第１相対力を測定して、前記第１相対力と関連した第１力信号を出力するように動作する第１力変換器と、
前記第２媒体搬送体と前記第３媒体搬送体の間を通過する基板媒体の存在を検出して、前記検出と関連した第２検出信号を出力するように動作するセンサと、
前記第１相対力信号および前記第２検出信号を受けて、前記第１相対力信号と所定値の比較に依存する第１制御信号を、前記第１駆動ユニットおよび前記第２駆動ユニットのうちの少なくとも１つへ出力するように構成されかつ動作する制御ユニットであって、前記第１制御信号は、それぞれ前記第１駆動ユニットまたは前記第２駆動ユニットに、それぞれ前記第１媒体搬送体または前記第２媒体搬送体の運動を駆動するように命令して、前記力信号を前記所定値以下またはその前後に維持し、前記制御ユニットは、前記第２検出信号に応答して、前記第１制御信号の代わりに第２制御信号を、前記第１駆動ユニットおよび前記第２駆動ユニットのうちの少なくとも１つへ出力するようにさらに構成されかつ動作し、前記第２制御信号は、それぞれ前記第１駆動ユニットまたは前記第２駆動ユニットに、それぞれ前記第１媒体搬送体または前記第２媒体搬送体の運動を所定速度で駆動するように命令する制御ユニットと、を含む、プリンタ。
【請求項１７】
前記マーキングエンジンは、インク・ジェット・マーキング・エンジン、電子写真マーキング・エンジン、およびトランスフィックス・マーキング・エンジンのうちの少なくとも１つを含む、請求項１６に記載のプリンタ。
【請求項１８】
前記第１媒体搬送体または前記第２媒体搬送体のうちの少なくとも１つは、１つ以上のローラの上を送られるベルトであって、前記第１駆動ユニットまたは前記第２駆動ユニットそれぞれの影響を受けて移動する柔軟性ベルトを含み、
前記第１媒体搬送体または前記第２媒体搬送体の各表面は、前記柔軟性ベルトの表面を含む、請求項１６に記載のプリンタ。
【請求項１９】
前記柔軟性ベルトは通気性があり、これにより柔軟性ベルトの第１側面に取り込まれた負圧が、柔軟性ベルトの第１側面とは反対側の第２側面に保持された前記基板媒体に押下げ力を引き起こす、請求項１８に記載のプリンタ。
【請求項２０】
第１搬送面および第１駆動ユニットを有する第１媒体搬送体から、第２搬送面および第２駆動ユニットを有する第２媒体搬送体へ、基板媒体を運搬するステップと、
前記第１媒体搬送体と前記第２媒体搬送体の間の第１相対力を測定して、前記第１相対力と関連した第１力信号を出力するステップと、
制御ユニットにおいて前記第１力信号を受けて、前記制御ユニットが、前記第１相対力信号と所定値の比較に依存する制御信号を、前記第１駆動ユニットおよび前記第２駆動ユニットのうちの少なくとも１つへさらに出力するステップと、
前記制御信号を受けるそれぞれ前記第１駆動ユニットまたは前記第２駆動ユニットに、それぞれ前記第１媒体搬送体または前記第２媒体搬送体の運動を駆動するように命令して、前記力信号を前記所定値以下またはその前後に維持するステップと、
前記第２媒体搬送体から、第３搬送面を有する第３媒体搬送体へ、前記基板媒体を運搬するステップと、
前記第２媒体搬送体と前記第３媒体搬送体の間を通過する基板媒体の存在をセンサで検出して、前記検出と関連した第２検出信号を前記制御ユニットへ出力するステップと、
前記第２検出信号に応答して、前記第１制御信号の代わりに第２制御信号を、前記制御ユニットから前記第１駆動ユニットおよび前記第２駆動ユニットのうちの少なくとも１つへ出力して、前記第２制御信号が、それぞれ前記第１駆動ユニットまたは前記第２駆動ユニットに、それぞれ前記第１媒体搬送体または前記第２媒体搬送体の運動を所定速度で駆動するように命令するステップと、を含む、媒体搬送方法。
【請求項２１】
前記第１媒体搬送体および前記第２媒体搬送体のうちの少なくとも１つを、シャーシー本体に取り付けるステップと、
前記第１力変換器を、前記シャーシー本体とのインターフェースに取り付けるステップと、を更に含む、請求項２０に記載の媒体搬送方法。
【請求項２２】
摩擦低減装着部によって前記第２媒体搬送体を支持するステップをさらに含み、前記摩擦低減装着部は、前記第２媒体搬送体の処理方向に全体に整列した少なくとも１つの自由度を提供するように構成される、請求項２０に記載の媒体搬送方法。
【請求項２３】
第１搬送面、第２搬送面、または第３搬送面に対して前記基板媒体をそれぞれ保持する個別の第１押下力、第２押下力、または第３押下力を生成するステップをさらに含む、請求項２０に記載の媒体搬送方法。
【請求項２４】
前記第１押下力、前記第２押下力、または前記第３押下力は、空気圧差、静電場、またはこれらの組み合わせによって生成される、請求項２３に記載の媒体搬送方法。
【請求項２５】
前記第１力変換器で、前記第１媒体搬送体または前記第２媒体搬送体の処理方向に全体に整列した、前記第１相対力がある部品を測定するステップを更に含む、請求項２０に記載の媒体搬送方法。
【請求項２６】
前記所定速度の値をメモリモジュールに格納するステップを更に含む、請求項２０に記載の媒体搬送方法。
【請求項２７】
前記所定速度は、所定期間にわたって、前記第１制御信号によって命令された平均速度である、請求項２０に記載の媒体搬送方法。
【請求項２８】
前記所定期間は、前記第２検出信号が前記センサから出力しない期間を含む、請求項２７に記載の媒体搬送方法。
【請求項２９】
前記第１媒体搬送体または前記第２媒体搬送体のうちの少なくとも１つは、１つ以上のローラの上を送られるベルトであって、それぞれ前記第１駆動ユニットまたは前記第２駆動ユニットの影響を受けて移動する柔軟性ベルトを含み、
それぞれ前記第１媒体搬送体または前記第２媒体搬送体の表面は、前記柔軟性ベルトの表面を含む、請求項２０に記載の媒体搬送方法。
【請求項３０】
前記柔軟性ベルトは通気性があり、これにより柔軟性ベルトの第１側面に取り込まれた負圧が、柔軟性ベルトの第１側面とは反対側の第２側面に保持された前記基板媒体に押下げ力を引き起こす、請求項２９に記載の媒体搬送方法。
【請求項３１】
前記媒体搬送装置の処理方向を横断する方向で、前記基板媒体の期待幅または前記第２搬送体もしくは前記第３搬送体の幅の全体にわたって複数のセンサを配置するステップをさらに含む、請求項２０に記載の媒体搬送方法。